(57)【特許請求の範囲】
【請求項１】
建物のドア又は該ドアの近辺に設けられた施解錠装置と該建物の使用者が携帯する携帯機との間で無線通信を行い、同ドアのドア錠の施解錠を行う建物用ドア錠の遠隔操作装置であって、
前記携帯機は、前記施解錠装置から送信されるリクエスト信号を受信するリクエスト信号受信手段と、前記リクエスト信号を受信したときにＩＤコードを含む送信信号を送信する送信手段とを備え、
前記施解錠装置は、前記リクエスト信号を前記ドア近辺の屋内側と屋外側との所定領域に送信するリクエスト信号送信手段と、前記携帯機からの送信信号を受信する受信手段と、前記送信信号に含まれるＩＤコードと予め設定されたＩＤコードとを比較し、これらＩＤコードが一致したときに前記ドア錠を解錠し、前記携帯機からの送信信号が受信できないときは前記ドア錠を施錠するドア錠制御手段とを備える建物用ドア錠の遠隔操作装置において、
前記ドア又は前記ドアの近辺に、前記ドアの屋内側であって前記所定領域内の前記所定領域よりも狭い範囲において人を検知し、人を検知すると前記施解錠装置に人検知信号を出力する屋内側人検知手段が設けられ、
前記ドア錠制御手段は、前記ドアの屋内側では前記リクエスト信号の通信を契機とする照合でＩＤコードが一致し、前記屋内側人検知手段から前記人検知信号が入力されたときに前記ドア錠を解錠し、または前記携帯機におけるスイッチ操作にて該携帯機からＩＤコードを送信する照合でＩＤコードが一致したときに前記操作に基づいて前記ドア錠を施解錠する
ことを特徴とする建物用ドア錠の遠隔操作装置。
【請求項２】
請求項１に記載の建物用ドア錠の遠隔操作装置において、
前記ドア又は前記ドアの近辺に、前記ドアの屋外側であって前記所定領域内の前記所定領域よりも狭い範囲において人を検知し、人を検知すると前記施解錠装置に人検知信号を出力する屋外側人検知手段が設けられ、
前記ドア錠制御手段は、前記ドアの屋外側では前記リクエスト信号の通信を契機とする照合でＩＤコードが一致し、前記屋外側人検知手段から人検知信号が入力されたときにのみ前記ドア錠を解錠する
ことを特徴とする建物用ドア錠の遠隔操作装置。
【請求項３】
請求項１又は２に記載の建物用ドア錠の遠隔操作装置において、
前記人検知手段は、検出対象である人との距離を測ることができる測距センサであり、
前記測距センサは、前記測距センサと人との検出距離を設定することができ、前記測距センサと人との距離が前記検出距離以内のときに前記人検知信号を前記施解錠装置に出力する
ことを特徴とする建物用ドア錠の遠隔操作装置。
【請求項４】
請求項１〜３のいずれか一項に記載の建物用ドア錠の遠隔操作装置において、
前記人検知手段は、前記リクエスト信号送信手段、前記受信手段、及び前記ドア錠制御手段の少なくとも一つと共に前記ドア又は前記ドアの近辺に設けられる
ことを特徴とする建物用ドア錠の遠隔操作装置。
【発明の詳細な説明】
【技術分野】
【０００１】
この発明は、建物用ドア錠の遠隔操作装置に係り、詳しくはドア錠の施解錠を行う装置に関する。
【背景技術】
【０００２】
従来、利便性の向上を目的に、ＩＤコードを用いた電子制御による建物用ドア錠の遠隔操作装置が提案されている（例えば、特許文献１参照）。この遠隔操作装置によれば、ドアに配設された施解錠装置からドアの屋内側と屋外側との所定領域に送信されるリクエスト信号をユーザが所持する携帯機が受信すると、携帯機はＩＤコードを送信する。携帯機から送信されるＩＤコードと施解錠装置が有するＩＤコードとが一致した場合にドア錠が解錠される。このため、携帯機を所持しドアに近づくとドア錠を解錠することができ、またドアから離れるとドア錠を施錠することができる。この結果、ドア錠を施錠・解錠するための操作を行う必要がなく利便性が向上する。
【特許文献１】特開２００１−２４１２２７号公報
【発明の開示】
【発明が解決しようとする課題】
【０００３】
しかしながら、上記特許文献１に記載の建物用ドア錠の遠隔操作装置では、携帯機を所持してドアに近づくだけでドア錠が解錠することから、例えば、玄関内側の下駄箱の上に、すなわち携帯機と施解錠装置との相互通信が可能な領域の外側の境界近傍に携帯機が放置された場合に、電波が不意に届いてドア錠が解錠されるおそれがある。また、携帯機と施解錠装置との相互通信が可能な領域の境界付近で身支度等の作業を行う場合、施解錠装置は携帯機からのＩＤコードを受信したり、しなかったりするため、ドア錠が解錠と施錠とを繰り返して煩わしい。
【０００４】
この発明は、こうした実情に鑑みてなされたものであり、その目的は、必要なときにのみ施解錠を行う建物用ドア錠の遠隔操作装置を提供することにある。
【課題を解決するための手段】
【０００５】
以下、上記目的を達成するための手段及びその作用効果について説明する。
請求項１に記載の発明は、建物のドア又は該ドアの近辺に設けられた施解錠装置と該建物の使用者が携帯する携帯機との間で無線通信を行い、同ドアのドア錠の施解錠を行う建物用ドア錠の遠隔操作装置であって、前記携帯機は、前記施解錠装置から送信されるリクエスト信号を受信するリクエスト信号受信手段と、前記リクエスト信号を受信したときにＩＤコードを含む送信信号を送信する送信手段とを備え、前記施解錠装置は、前記リクエスト信号を前記ドア近辺の屋内側と屋外側との所定領域に送信するリクエスト信号送信手段と、前記携帯機からの送信信号を受信する受信手段と、前記送信信号に含まれるＩＤコードと予め設定されたＩＤコードとを比較し、これらＩＤコードが一致したときに前記ドア錠を解錠し、前記携帯機からの送信信号が受信できないときは前記ドア錠を施錠するドア錠制御手段とを備える建物用ドア錠の遠隔操作装置において、前記ドア又は前記ドアの近辺に、前記ドアの屋内側であって前記所定領域内の前記所定領域よりも狭い範囲において人を検知し、人を検知すると前記施解錠装置に人検知信号を出力する屋内側人検知手段が設けられ、前記ドア錠制御手段は、前記ドアの屋内側では前記リクエスト信号の通信を契機とする照合でＩＤコードが一致し、前記屋内側人検知手段から前記人検知信号が入力されたときに前記ドア錠を解錠し、または前記携帯機におけるスイッチ操作にて該携帯機からＩＤコードを送信する照合でＩＤコードが一致したときに前記操作に基づいて前記ドア錠を施解錠することをその要旨としている。
【０００６】
同構成によれば、リクエスト信号の送信される所定領域よりも狭い範囲において人を検知する人検知手段をドアの屋内側に備えることによって、ＩＤコードの照合が一致し、人を検知したときにのみドア錠を解錠する。この結果、必要なときにのみドア錠の施解錠が行われる。例えば、屋内側の前記所定領域の外側の境界近傍に携帯機が放置された場合には、電波が不意に届いてＩＤコードの照合が一致したとしても人を検知していなければ、ドア錠が解錠することはない。また、屋内側の前記所定領域の境界付近で身支度等の作業を行う場合にも、前記所定領域よりも狭い範囲において人を検知しなければドア錠は解錠しない。このため、解錠と施錠とを繰り返すことを抑制することができる。また、スイッチ操作されたときにのみドア錠を施解錠するので、必要なときにのみドア錠の施解錠が行われる。
【０００７】
請求項２に記載の発明は、請求項１に記載の建物用ドア錠の遠隔操作装置において、前記ドア又は前記ドアの近辺に、前記ドアの屋外側であって前記所定領域内の前記所定領域よりも狭い範囲において人を検知し、人を検知すると前記施解錠装置に人検知信号を出力する屋外側人検知手段が設けられ、前記ドア錠制御手段は、前記ドアの屋外側では前記リクエスト信号の通信を契機とする照合でＩＤコードが一致し、前記屋外側人検知手段から人検知信号が入力されたときにのみ前記ドア錠を解錠することをその要旨としている。
【０００８】
同構成によれば、リクエスト信号の送信される所定領域よりも狭い範囲において人を検知する人検知手段をドアの屋外側に備えることによって、ＩＤコードの照合が一致し、人を検知したときにのみドア錠を解錠する。この結果、必要なときにのみドア錠の施解錠が行われる。例えば、屋外側の前記所定領域の境界付近で掃除等の作業を行う場合にも、前記所定領域よりも狭い範囲において人を検知しなければドア錠は解錠しないので、解錠と施錠とを繰り返すことを抑制することができる。
【０００９】
請求項３に記載の発明は、請求項１又は２に記載の建物用ドア錠の遠隔操作装置において、前記人検知手段は、検出対象である人との距離を測ることができる測距センサであり、前記測距センサは、前記測距センサと人との検出距離を設定することができ、前記測距センサと人との距離が前記検出距離以内のときに前記人検知信号を前記施解錠装置に出力することをその要旨としている。
【００１０】
同構成によれば、建物のドア周辺の構造等に合わせて測距センサの検出距離、すなわちドア錠の解錠を行う距離を設定することができ、必要なときにのみ施解錠が行われる。
請求項４に記載の発明は、請求項１〜３のいずれか一項に記載の建物用ドア錠の遠隔操作装置において、前記人検知手段は、前記リクエスト信号送信手段、前記受信手段、及び前記ドア錠制御手段の少なくとも一つと共に前記ドア又は前記ドアの近辺に設けられることをその要旨としている。
【００１１】
同構成によれば、人検知手段がリクエスト信号送信手段、受信手段、及びドア錠制御手段の少なくとも一つと共に設けられることにより、ドア又はドアの近辺に取り付ける際に、一緒に取り付けることができるため容易である。
【発明の効果】
【００１２】
建物用ドア錠の遠隔操作装置は、必要なときにのみ施解錠を行うようになる。
【発明を実施するための最良の形態】
【００１３】
（第１の実施形態）
以下、本発明の第１の実施形態について図１〜図４を参照して説明する。
図１は、建物用ドア錠の遠隔操作装置を備えたドア付近を屋内側から見た概略斜視図である。図２は、図１のドア２の側面を示す図である。同図１に示されるように、建物用ドア錠の遠隔操作装置は、建物１の使用者が携帯する携帯機２０と、建物１のドア２に配設されるとともに携帯機２０との間で無線通信を通じてドア錠の施解錠を行う施解錠装置１０とを備えている。ドア２の屋内側表面にはドアノブ５が、屋外側表面にはドアノブ６が設けられている。ドア２の内部においては、これらドアノブ５，６の上方にドア錠機構７が設けられ、これらドアノブ５，６の下方にドア錠機構８が設けられている。これらドア錠機構７，８にあっては、同機構７，８の駆動によりドア２の側面に対して出没するロックバー７ａ，８ａが備えられている。ドア２の屋内側表面には、手動で施解錠可能な施解錠用つまみ（サムターン）７ｂ，８ｂが設けられ、つまみを回動させることによりロックバー７ａ，８ａを出没させることができる。図２に示されるように、ドア２の屋外側表面には、鍵を係入する鍵穴７ｃ，８ｃが設けられ、鍵を係入させた状態で回動させることによりロックバー７ａ，８ａを出没させることができる。ドア２の屋内側表面の屋内側ドアノブ５と上方のサムターン７ｂとの間には屋内側アンテナ部１２が設けられ、ドア２の屋内側表面の屋外側ドアノブ６と上方の鍵穴７ｃとの間には屋外側アンテナ部１３が設けられている。屋内側アンテナ部１２には、屋内側人検知手段として赤外線センサ１５が設けられている。ドア２内部のドア錠機構７の上方にはドア錠制御手段である施解錠制御部１１が設けられ、屋内側においてドア２の近傍の建物１の壁にはドア錠７，８を施解錠操作する操作装置３１が設けられている。施解錠制御部１１には、二つのドア錠機構７，８、屋内側アンテナ部１２、屋外側アンテナ部１３、及び操作装置３１が電気的に接続されている。
【００１４】
図４は、携帯機２０と施解錠装置１０とからなる遠隔操作装置の概略構成を示す図である。図４に示されるように、携帯機２０は、マイクロコンピュータ（マイコン）２１、受信回路２２、送信回路２３、及び操作スイッチ２４を備えている。受信回路２２には受信アンテナ２５ａが接続されており、送信回路２３には送信アンテナ２５ｂが接続されている。受信回路２２は、施解錠制御部１１から送信されるリクエスト信号を受信アンテナ２５ａを介して受信し、このリクエスト信号を復調してマイコン２１に入力するための回路である。送信回路２３は、マイコン２１から出力される信号を所定周波数の電波に変調し、送信アンテナ２５ｂを介して送信するための回路である。操作スイッチ２４は、携帯機２０の表面に設けられた押しボタンスイッチ等であり、操作されるとその操作信号がマイコン２１に入力される。マイコン２１は、受信回路２２からリクエスト信号が入力されると、予め設定された所定のＩＤコードを含むＩＤコード信号を送信回路２３に出力する。また、操作スイッチ２４が操作されると、前記ＩＤコードと所定の操作コードを含む施解錠操作信号を送信回路２３に出力する。ここで、操作スイッチ２４には、施錠スイッチ及び解錠スイッチが含まれる。施錠スイッチが操作されると、マイコン２１はＩＤコードと施錠操作コードとを含む施解錠操作信号（施錠操作信号）を送信回路２３に出力する。一方、解錠スイッチが操作されると、マイコン２１はＩＤコードと解錠操作コードとを含む施解錠操作信号（解錠操作信号）を送信回路２３に出力する。ここで、受信回路２２及び受信アンテナ２５ａは、リクエスト信号受信手段を構成する。また、送信回路２３及び送信アンテナ２５ｂは、送信手段を構成する。
【００１５】
施解錠装置１０は、前述したようにドア２にドア錠機構７，８、施解錠制御部１１、屋内側アンテナ部１２、屋外側アンテナ部１３、及び赤外線センサ１５を備え、建物１の壁に操作装置３１を備えている。屋内側アンテナ部１２には、屋内側送信アンテナ１２ａと屋内側受信アンテナ１２ｂと赤外線センサ１５とが配設されている。屋外側アンテナ部１３には、屋外側送信アンテナ１３ａと屋外側受信アンテナ１３ｂとが配設されている。施解錠制御部１１は、施解錠制御用のマイクロコンピュータ（施解錠制御マイコン）１６、送信回路１７、及び受信回路１８を備えている。送信回路１７には送信アンテナ１２ａ，１３ａが接続されており、受信回路１８には受信アンテナ１２ｂ，１３ｂが接続されている。施解錠制御マイコン１６は、図示しないＣＰＵ、ＲＯＭ、ＲＡＭを備えるＣＰＵユニットであり、リクエスト信号を間欠的に出力する。詳しくは、施解錠制御マイコン１６は、各送信アンテナ１２ａ，１３ａから個別のタイミングで択一的にリクエスト信号を出力する。すなわち、一方の送信アンテナ１２ａ（１３ａ）からリクエスト信号を出力するときには、他方の送信アンテナ１３ａ（１２ａ）からはリクエスト信号を出力しない。これにより、施解錠制御部１１は、ＩＤコード信号が屋内に出力されたリクエスト信号に応答して送信されたものか、屋外に出力されたリクエスト信号に応答して送信されたものかを、ひいては携帯機２０が屋内側又は屋外側のどちらにあるかを判断することができる。送信回路１７は、施解錠制御マイコン１６から出力されるリクエスト信号を所定周波数の電波に変調し、送信アンテナ１２ａ，１３ａを介して送信するための回路である。受信回路１８は、携帯機２０から送信されたＩＤコード信号または施解錠操作信号を受信アンテナ１２ｂ，１３ｂを介して受信し、その受信信号を復調して施解錠制御マイコン１６に入力するための回路である。ここで、送信回路１７及び送信アンテナ１２ａ，１３ａは、リクエスト信号送信手段を構成する。また、受信回路１８及び受信アンテナ１２ｂ，１３ｂは、受信手段を構成する。リクエスト信号は、図２及び図３に示されるように、各送信アンテナ１２ａ，１３ａを介して屋内及び屋外のドア２周辺の二点鎖線で示す所定領域Ａ１に出力される。すなわち、この所定領域Ａ１において携帯機２０と施解錠制御部１１との相互通信が可能となる。施解錠制御マイコン１６のＲＯＭには、予め設定された所定のＩＤコードが記録されており、受信回路１８から受信信号が入力されたとき、施解錠制御マイコン１６は自身に記録されたＩＤコードと受信信号に含まれるＩＤコードとを照合する。赤外線センサ１５は、図２及び図３に示されるように、屋内のドア周辺の所定領域Ａ１より狭い二点鎖線で示す所定領域Ａ２において人の存在を検知した場合に、人検知信号を施解錠制御マイコン１６に出力する。操作装置３１は、操作スイッチ３２と表示部３３とを備えている。ここで、操作スイッチ３２には、図示しない施錠スイッチ及び解錠スイッチが含まれる。施錠スイッチが操作されると、施錠信号が施解錠制御マイコン１６に出力される。一方、解錠スイッチが操作されると、解錠信号が施解錠制御マイコン１６に出力される。表示部３３は、施解錠制御マイコン１６から取得したドア錠機構７，８の状態、すなわち施錠又は解錠を表示する。施解錠制御マイコン１６は、操作装置３１から施錠信号が入力すると、ドア錠機構７，８に施錠駆動信号を出力する。一方、解錠信号が入力すると、ドア錠機構７，８に解錠駆動信号を出力する。ドア錠機構７，８は、施解錠制御マイコン１６から施錠駆動信号が入力されると、ロックバー７ａ，８ａをドア２側面に突出させて施錠し、解錠駆動信号が入力されると、ロックバー７ａ，８ａをドア２内部に没入させて解錠する。
【００１６】
次に、図５及び図６を併せ参照して、建物用ドア錠の遠隔操作装置の動作について説明する。
（Ａ）建物１の屋内側において携帯機２０から送信されるＩＤコード信号に基づいてドア錠７，８を施解錠する場合
図５に示されるように、施解錠制御部１１の施解錠制御マイコン１６から屋内側の所定領域Ａ１に対してリクエスト信号が出力される（ステップＳ１）。このとき、携帯機２０が所定領域Ａ１内に移動して（ステップＳ２）、リクエスト信号を受信する（ステップＳ３）と、携帯機２０のマイコン２１は、ＩＤコード信号を出力する（ステップＳ４）。施解錠制御マイコン１６は、ＩＤコード信号を受信する（ステップＳ５）と、自身のＩＤコードとＩＤコード信号に含まれるＩＤコードとの照合を行う（ステップＳ６）。そして、携帯機２０が所定領域Ａ２に移動する（ステップＳ８）と、赤外線センサ１５は人検知信号を施解錠制御マイコン１６に出力する（ステップＳ９）。施解錠制御マイコン１６は、ＩＤコードの一致（ステップＳ７）と人検知信号の入力（ステップＳ１０）との両方を確認すると、ドア錠機構７，８に解錠駆動信号を出力し、ドア錠７，８を解錠する（ステップＳ１１）。携帯機２０が所定領域Ａ２外に移動する（ステップＳ１２）と、赤外線センサ１５から人検知信号が出力されなくなる。このため、施解錠制御マイコン１６に人検知信号が入力されなくなり、施解錠制御マイコン１６は、ドア錠機構７，８に施錠駆動信号を出力し、ドア錠７，８を施錠する（ステップＳ１３）。
【００１７】
（Ｂ）建物１の屋外側において携帯機２０から送信されるＩＤコード信号に基づいてドア錠７，８を施解錠する場合
屋外側には人検知センサがないため人検知は行わず、ＩＤコードの照合のみでドア錠７，８の施解錠を行う。施解錠制御部１１は、屋外側の所定領域Ａ１においてＩＤコードの照合が一致した場合に、ドア錠７，８を解錠させる。そして、携帯機２０が屋外側の所定領域Ａ１外に移動すると、施解錠制御部１１はドア錠７，８を施錠させる。すなわち、（Ａ）では携帯機を所持した人が所定領域Ａ２内にいるか否かによって施解錠を行ったが、（Ｂ）では携帯機を所持した人が所定領域Ａ１内にいるか否かによって施解錠を行う。
【００１８】
（Ｃ）携帯機２０から送信される施解錠制御信号に基づいてドア錠７，８を施解錠する場合
図６に示されるように、携帯機２０の操作スイッチ２４の解錠スイッチが操作される（ステップＳ２１）と、マイコン２１から解錠操作信号が出力される（ステップＳ２２）。施解錠制御マイコン１６は、解錠操作信号を受信する（ステップＳ２３）と、自身のＩＤコードと解錠操作信号に含まれるＩＤコードとの照合を行う（ステップＳ２４）。施解錠制御マイコン１６は、ＩＤコードが一致するとドア錠７，８を解錠させる。その後、携帯機２０の操作スイッチ２４の施錠スイッチが操作される（ステップＳ２６）と、マイコン２１から施錠操作信号が出力される（ステップＳ２７）。施解錠制御マイコン１６は、施錠操作信号を受信する（ステップＳ２８）と、自身のＩＤコードと施錠操作信号に含まれるＩＤコードとの照合を行う（ステップＳ２９）。施解錠制御マイコン１６は、ＩＤコードが一致するとドア錠７，８を施錠させる（ステップＳ３０）。
【００１９】
以上、説明した実施形態によれば、以下の作用効果を奏することができる。
（１）リクエスト信号の送信される所定領域Ａ１よりも狭い所定領域Ａ２において人を検知する赤外線センサ１５をドア２の屋内側に備え、ＩＤコードの照合が一致し、人を検知したときにのみドア錠７，８を解錠する。この結果、必要なときにのみドア錠７，８の施解錠が行われる。例えば、所定領域Ａ１の外側の境界近傍に位置する棚３の上に携帯機２０が置き忘れられた場合に、電波が不意に届いてＩＤコードの照合が一致したとしても人の検知がないのでドア錠７，８が解錠されることはない。また、屋内側の所定領域Ａ１の境界付近で身支度する等の作業を行う場合にも、施解錠装置１０は携帯機２０からのＩＤコードを受信したり、しなかったりしても、所定領域Ａ２内に人がいないので人の検知がないことにより、ドア錠７，８は解錠しない。このため、解錠と施錠とを繰り返すことを抑制することができる。
【００２０】
（２）赤外線センサ１５が施解錠装置１０の屋内側アンテナ部１２に設けられることにより、ドア２又はドア２の近辺に取り付ける際には、一緒に取り付けることができるため容易である。
【００２１】
（第２の実施形態）
以下、本発明の第２の実施形態について、図７及び図８を参照して説明する。この実施形態の建物用ドア錠の遠隔操作装置は、図１に示す第１の実施形態の建物用ドア錠の遠隔操作装置とほぼ同様の構成を備えており、屋内側、屋外側人検知手段として測距センサ４１，４２を採用した点が上記第１の実施形態と異なっている。したがって、以下、第１の実施形態との相違点を中心に説明する。
【００２２】
図７に示されるように、屋内側アンテナ部１２には測距センサ４１が設けられ、測距センサ４１はドア２の屋内側において人の存在を検知する。同様に、屋外側アンテナ部１３には測距センサ４２が設けられ、測距センサ４２はドア２の屋外側において人の存在を検知する。これら測距センサ４１，４２は、矢印で示した範囲において同センサ４１，４２と検出対象である人との距離を測ることができ、この距離が予め設定された検出距離Ｘ以下のときに、人検知信号を施解錠制御マイコン１６に出力する。ここで、検出距離Ｘは、所定領域Ａ１までの距離以下の範囲で建物１の使用者が任意に設定することができる距離である。すなわち、検出距離Ｘはドア錠７，８の施解錠が行われるのが適当だと思われる位置を施解錠制御部１１に予め登録することにより設定することができる。検出距離Ｘの登録は、次のように行う。施解錠制御部１１の図示しない設定スイッチを操作して、設定モードにし、使用者がドア２の前に立ち適当だと思われる距離で携帯機２０の操作スイッチ２４を操作する。これにより適当な距離が検出距離Ｘとして施解錠制御マイコン１６に登録される。
【００２３】
携帯機２０から送信されるＩＤコードに基づくドア錠７，８の施解錠は、第１の実施形態の（Ａ）の動作と同様であり、屋外側においても屋内側と同様に、ＩＤコードの一致及び人検知信号の入力を条件に解錠する。そして、少なくとも一方の条件が成立しないときには、施錠する。携帯機２０から送信される施解錠制御信号に基づくドア錠７，８の施解錠は、第１の実施形態の（Ｃ）の動作と同様である。
【００２４】
以上、説明した実施形態によれば、第１の実施形態の（１）及び（２）の作用効果に加え、以下の作用効果を奏することができる。
（３）ドア２の屋内側及び屋外側における人の存在を検知する測距センサ４１，４２を備えるため、ドア２の屋外側においてもドア２の屋内側と同様に、必要なときにのみドア錠７，８の施解錠が行われる。例えば、所定領域Ａ１の境界付近で身支度等の作業を行う場合に、施解錠装置１０は携帯機２０からのＩＤコードを受信したり、しなかったりしても、検出距離Ｘ以内に人がいないので人の検知がないことにより、ドア錠７，８は解錠しない。このため、解錠と施錠とを繰り返すことを抑制することができる。
【００２５】
（４）人検知手段として測距センサ４１，４２を用いたことにより、使用者がドア錠７，８の施解錠が行われるのが適当だと思われる検出距離Ｘを設定することができ、建物形状や、使用者の動線等に合わせて設定することができる。また、屋内側及び屋外側の各々で検出距離Ｘを設定することができる。したがって、使用者の利便性を好適に確保することができる。
【００２６】
なお、上記実施形態は、これを適宜変更した以下の形態にて実施することができる。
・上記実施形態では、施解錠装置１０はリクエスト信号を間欠的に送信し、携帯機２０が所定領域Ａ１内に移動してＩＤコードの照合一致と、赤外線センサ１５又は測距センサ４１，４２による人検知とを条件に、ドア錠７，８の解錠を行うようにしたが、赤外線センサ１５又は測距センサ４１，４２によって人を検知して、施解錠制御マイコン１６に人検知信号が入力されるとリクエスト信号を送信してＩＤコードの照合を行うようにしてもよい。この結果、リクエスト信号の送信は人検知信号が入力されたときにのみ行われるようになるため、電力消費を少なくすることができる。
【００２７】
・上記第１の実施形態では、人検知手段として赤外線センサ１５を用いたが、第２の実施形態に用いた測距センサ等、他のものを用いるようにしてもよい。
・また、センサの感度を調節できる赤外線センサを用いて、感度を調節するようにしてもよい。
【００２８】
・上記第２の実施形態では、人検知手段として測距センサ４１，４２を用いたが、設置される建物に合わせて、リクエスト信号の出力領域である所定領域Ａ１より狭い範囲に設定できるのであれば、第１の実施形態に用いた赤外線センサ等、他のものを用いるようにしてもよい。
【００２９】
・上記第１の実施形態では、赤外線センサ１５を屋内側アンテナ部１２に設けるようにしたが、必ずしも屋内側アンテナ部１２に設ける必要はなく、人の位置を検出することができるならば、例えばドア２の別の場所又は建物１の壁や天井等、他の場所に設けてもよい。なお、人検知手段によって検知可能な所定領域Ａ２は、リクエスト信号の出力領域である所定領域Ａ１より狭い範囲であることが望ましい。
【００３０】
・上記第２の実施形態では、測距センサ４１を屋内側アンテナ部１２に、測距センサ４２を屋外側アンテナ部１３に設けるようにしたが、必ずしもアンテナに設ける必要はなく、ドア２から人までの距離を測ることができるならば、例えばドア２の別の場所又は建物１の壁や天井等、他の場所に設けてもよい。
【００３１】
・上記実施形態では、ドア２は開き戸であったが、開き戸に限らず、引き戸等他の形態のドアであってもよい。
・上記実施形態では、ドア２に二つのドア錠機構７，８を設けるようにしたが、ドア錠機構は二つに限らず、一つのみであってもよい。また、三つ以上にしてもよい。
【図面の簡単な説明】
【００３２】
【図１】建物用ドア錠の遠隔操作装置を備えたドアの概略斜視図。
【図２】建物用ドア錠の遠隔操作装置を備えたドアの側面図。
【図３】建物用ドア錠の遠隔操作装置を備えたドア付近の平面図。
【図４】建物用ドア錠の遠隔操作装置の概略構成を示すブロック図。
【図５】建物用ドア錠の遠隔操作装置によって行われる動作態様の一例を示すシーケンスチャート。
【図６】建物用ドア錠の遠隔操作装置によって行われる動作態様の一例を示すシーケンスチャート。
【図７】第２の実施形態の建物用ドア錠の遠隔操作装置を備えたドアの側面図。
【図８】第２の実施形態の建物用ドア錠の遠隔操作装置を備えたドア付近の平面図。
【符号の説明】
【００３３】
１…建物、２…ドア、３…棚、５…屋内側ドアノブ、６…屋外側ドアノブ、７，８…ドア錠（機構）、７ａ，８ａ…ロックバー、７ｂ，８ｂ…サムターン、７ｃ，８ｃ…鍵穴、１０…施解錠装置、１１…施解錠制御部、１２…屋内側アンテナ部、１２ａ…屋内側送信アンテナ、１２ｂ…屋内側受信アンテナ、１３…屋外側アンテナ部、１３ａ…屋内側受信アンテナ、１３ｂ…屋外側送信アンテナ、１５…赤外線センサ、１６…施解錠制御マイコン、１７…送信回路、１８…受信回路、２０…携帯機、２１…マイコン、２２…受信回路、２３…送信回路、２４…操作スイッチ、３１…操作装置、３２…操作スイッチ、３３…表示部、４１…屋内側測距センサ、４２…屋外側測距センサ、Ａ１…領域、Ａ２…領域、Ｘ…検出距離。
【図１】
0004740031.tif 000002
【図２】
0004740031.tif 000003
【図３】
0004740031.tif 000004
【図４】
0004740031.tif 000005
【図５】
0004740031.tif 000006
【図６】
0004740031.tif 000007
【図７】
0004740031.tif 000008
【図８】
0004740031.tif 000009